(57)【要約】【課題】  電力が供給される配電線を信号伝送路として通信を行う電力線搬送通信システムの配電線に伝送信号を注入・取り出しを行う方法であって、設置に要する作業時間が短くなり、モデムが安価に構成できる信号注入・取出方法を提供する。【解決手段】  電力線搬送通信システムの通信装置から配電線へ伝送信号の注入・取り出しする部分に、リング状に形成されたフェライトコアに入力側巻線が卷回された信号注入器を内径部に配電線が挿通するように配置し、配置した信号注入器により伝送信号の注入・取り出しを行う方法とした。【選択図】        図１
2005136682.tif 000002
【特許請求の範囲】
【請求項１】
絶縁被覆された配電線を信号伝送路として使用する電力線搬送通信システムにおいて、上記配電線への伝送信号の注入・取り出しを行う位置に、リング状に形成されたフェライトコアに入力巻線が卷回された信号注入器を上記配電線が内径部に挿通する状態で配置し、この信号注入器によって上記伝送信号の注入・取り出しを行うことを特徴とする電力線搬送通信システムの伝送信号注入・取出方法。
【請求項２】
上記信号注入器が装着された位置の信号伝送方向の反対側に、リング状に形成されたフェライトコアを上記電力配電線が内径部に挿通する状態に配置したことを特徴とする請求項１記載の電力線搬送通信システムの伝送信号注入・取出方法。
【請求項３】
上記フェライトコアは、リングを２分割し、装着時にリング状になるように形成したことを特徴とする請求項１または請求項２記載の電力線搬送通信システムの伝送信号注入・取出方法。
【請求項４】
上記配電線はコイル状に形成し、上記フェライトコアは内径部に配電線が複数回挿通される状態に配置したことを特徴とする請求項１〜請求項３のいずれかに記載の電力線搬送通信システムの伝送信号注入・取出方法。
【発明の詳細な説明】
【技術分野】
【０００１】
この発明は、電力が供給される配電線を利用して通信を行う電力線搬送通信システムの配電線に伝送信号を注入・取り出しを行う伝送信号注入・取出方法に関するものである。
【背景技術】
【０００２】
電力線搬送通信システムは、配電線を用いて親局と子局の間でデータ伝送通信するものである。その電力線搬送通信システムの一般的な構成は、例えば、特許文献１に開示されている。その全体概要図は特許文献１の図１に示され、その配電線の構成は、６ｋＶの高圧配電線から柱上トランスを通して２００Ｖおよび１００Ｖに降圧した電力を低圧配電線を経由して需要家に供給する構成である。電力線搬送通信システムは、高圧配電線に併架された上位ネットワークの光ファイバーを通して伝送信号が伝送され、この光ファイバーに光／電気変換装置（Ｏ／Ｅ）と電力線搬送通信システムの信号を送受する親モデムが接続され、この親モデムから柱上トランス単位の配電線ネットワーク（これをサブネットという）に接続され、電力が供給される一般需要家に至るサブネットの端末には信号を送受する子モデムが配置され、これを通して、パソコンやテレビ等の情報端末機器が接続される。
【０００３】
この構成においては、柱上トランス単位の低圧配電線（サブネット）毎に、親モデムの信号出力部が配電線に直接接続され、子局にも親局と同構成の子モデムの信号出力部が直接接続されて親局と子局との間で伝送信号の送受信が行われる構成である。
【０００４】
【特許文献１】特開２００３−１４３０４３号公報
【発明の開示】
【発明が解決しようとする課題】
【０００５】
従来の特許文献１に示された電力線搬送通信システムにおける伝送信号の注入は、親モデムおよび子モデムの信号出力部が、低圧配電線の絶縁被覆を剥がして直接接続する構成であり、接続作業に時間を要するために工事コストが嵩む問題点があった。また、親モデムおよび子モデムの信号出力部は、低圧配電線の回路電圧が加わるため、その信号出力部は低圧配電線の回路電圧に耐える構成となり、機器コストが高くなる問題点もあった。さらに、高圧配電線も信号伝送路として利用する場合は、親モデムは高圧配電線の回路電圧に耐える必要があり、機器コストはさらに高くなる。
【０００６】
この発明は、上記問題点を解消するためになされたものであり、配電線に対して伝送信号を注入・取り出しする手段は、設置に要する作業時間が短くなり、親モデムおよび子モデムが安価に構成できる電力線搬送通信システムの信号注入・取出方法を提供することを目的とする。
【課題を解決するための手段】
【０００７】
この発明に係る電力線搬送通信システムの伝送信号注入・取出方法は、通信装置から配電線へ伝送信号を注入・取り出しする部分に、リング状に形成されたフェライトコアに入力側巻線が卷回された信号注入器を内径部に上記配電線が挿通するように配置し、配置した信号注入器により伝送信号の注入・取り出しを行う方法である。
【発明の効果】
【０００８】
この発明によれば、信号注入器が電力を供給する配電線の絶縁被覆を剥がすことなく装着できるため、工事コストが低減されるとともに、信号注入器およびこれに繋がれている通信装置の出力部が配電線の電圧に耐える構成にしなくてもよくなり、機器コストも安価に構成できる。
【発明を実施するための最良の形態】
【０００９】
実施の形態１．
図１は高圧受電する集合住宅において、この発明による電力線搬送通信システムの信号注入・取出方法を適用した場合の構成図である。この構成の受電回路は、例えば６ｋＶの高圧配電線１が電柱２に装架され、その高圧配電線１から分岐して、分岐高圧配電線３が集合住宅の受電室４に設置された受電変圧器４ａに接続され、受電変圧器４ａで２００Ｖ、１００Ｖに降圧されて低圧配電線５により一般需要家６に供給され、一般需要家６内では低圧回路７により配線されている。
【００１０】
このように構成された受電回路の高圧配電線１から分岐した分岐高圧配電線３の部分に、通信装置から配電線に対して伝送信号の注入・取り出しする親モデム１１（以下ＰＬＣ親機１１という：ＰＬＣ＝Power Line Communication）を設置して信号注入器２１により伝送信号を送受信し、一般需要家の低圧回路７の部分に子モデム１３（以下低圧用ＰＬＣ子機１３という）を設置して信号注入器２２により伝送信号を送受信する。ＰＬＣ親機１１が設置された分岐高圧配電線３とＰＬＣ子機１３が設置された低圧配電線５の間には、受電変圧器４ａが存在しているが、この部分には高圧用のＰＬＣ親機１１と低圧用のＰＬＣ子機１３を一体に構成したＰＬＣ中継器１２を受電変圧器４ａの高圧側と低圧側の間に下記する信号注入器２１および２２を介して伝送信号が注入取り出しできるように配置し、伝送信号はＰＬＣ中継器１２を経由して通過するように構成している。
【００１１】
高圧用の信号注入器２１の構成は、図２に示すように、フェライトコア２１ａに注入コイル２１ｂを巻回した構成である。低圧用の信号注入器２２は図２の高圧用の信号注入器２１と同一の構成であり、低圧用の信号注入器２２は配置する部分の電線サイズが細いので、高圧用よりも直径が小さく構成されている。
図２の信号注入器２１の構成は、フェライトコア２１ａがリング状であれば、装着時には分岐高圧配電線３を切り離してフェライトコア２１ａの内径部に挿通して接続する作業が必要であるが、図２に示すように２分割した構成にすると分岐高圧配電線３を切り離すことなく装着できる。低圧用の信号注入器２２についても同様に構成すれば電線を切り離すことなく装着できる。
【００１２】
この構成における伝送信号の伝送経路は、ＰＬＣ親機１１−信号注入器２１−分岐高圧配電線３−信号注入器２１・中継器・信号注入器２２−低圧配電線５−低圧回路７−信号注入器２２−ＰＬＣ子機１３の経路となる。
【００１３】
このように構成すれば、信号注入器２１および２２が、分岐高圧配電線３の絶縁被覆を剥がすことなく装着できるため、工事コストが低減されるとともに、信号注入器２１は分岐高圧配電線３の電圧に耐える構成にしなくてもよくなり、ＰＬＣ親機１１およびＰＬＣ子機１３の機器コストも安価に構成できる。
【００１４】
図１の分岐高圧配電線３に装着する信号注入器２１は、高圧配電線１の分岐点からある程度の距離を離して装着すると、分岐点と装着点の間のインダクタンスが大きくなり、伝送信号が高圧配電線１側へ漏洩することが抑制できる。
【００１５】
また、信号注入器２１または２２に挿通する配電線をコイル状に形成し、コイル状に形成した部分がフェライトコア２１ａまたは２２ａの内径部に挿通するように配置すると信号の注入効率がよくなり、信号注入器のフェライトコアの断面積を小さくすることができる。
【００１６】
実施の形態２．
実施の形態２は、実施の形態１において、伝送信号が高圧配電線１側に漏洩する問題点があるが、これを解消するための実施の形態である。図３にその構成を示す。
図３の構成は、図１の構成の分岐高圧配電線３の信号注入器２１が装着された位置の高圧配電線１側への伝送信号の伝達が阻止されるように、図４に示すフェライトコア３１を分岐高圧送電線３が内径部を挿通するように配置したものである。
【００１７】
通電導体の周囲に高透磁率のフェライトコアが配置されるとその部分のインダクタンスが大きくなり、商用周波数（５０Ｈｚまたは６０Ｈｚ）ではインピーダンスが小さく、搬送波の周波数領域では高インピーダンスとなり、信号注入器２１により、注入された伝送信号が高圧配電線線１側に漏洩することが回避できる。
【００１８】
また、フェライトコア３１に挿通する配電線をコイル状に形成し、コイル状に形成した部分が内径部に挿通するように配置すると伝送信号漏洩の抑制効果がさらによくなる。
【００１９】
フェライトコア３１は図４に示すように２分割した構成にすると、分岐高圧配電線３の内径部に挿通する配電線が切り離すことなく容易に装着できる。
【図面の簡単な説明】
【００２０】
【図１】この発明の実施の形態１の電力線搬送通信システムの伝送信号の注入・取出方法を説明する説明図である。
【図２】伝送信号を高圧電力配電線に注入する信号注入器の構成図である。
【図３】この発明の実施の形態２の電力線搬送通信システムの伝送信号の注入・取出方法を説明する説明図である。
【図４】高圧電力配電線に注入された伝送信号が漏洩するのを防止するフェライトコアの構成図である。
【符号の説明】
【００２１】
１  高圧配電線、３  分岐高圧配電線、４ａ  受電変圧器、５  低圧配電線、
６  一般需要家、７  低圧回路、１１  ＰＬＣ親機、１２  中継器、１３  ＰＬＣ子機、
２１  信号注入器、２２  信号注入器、３１  フェライトコア。
【図１】
2005136682.tif 000003
【図２】
2005136682.tif 000004
【図３】
2005136682.tif 000005
【図４】
2005136682.tif 000006